(57)【要約】      （修正有）【課題】河川水、湖沼水、地下水、貯水槽、防火水槽、プールまたは海水等の原水を水質基準に適合した安全な飲料水を高効率であり持続し、小型で機動性に優れ、操作性が容易で、維持管理費も安価で耐久性の高い災害用緊急移動式浄水装置の提供。【解決手段】濾過部としては、活性炭フィルター、セデメントフィルター、ＵＦ膜フィルター１種または数種、逆浸透膜フィルター、活性炭フィルターを各一つまたは複数を並列、または直列に濾過部として複数設け原水を濾過し飲料水を製造する浄水部と、原水の汲み上げ吸水ポンプによる逆浸透膜への加圧させる構成とし、原動機、もしくは内燃機関、太陽電池、交流電源、または直流電源の何れも起動でき、小型化され汎用性を有し原水から不純物を限りなく除去し安全な飲料水を製造できる役割を果たし、さらに浄水による洗浄と乾燥によるメンテナンス機構も備えている。【選択図】図１
0003122175.tif 000002
【実用新案登録請求の範囲】
【請求項１】
大規模災害（一般、火災、風水害、雪害、地震、噴火等）における水道設備の分断緊急時において河川水、湖沼水、地下水、貯水槽、防火水槽、プール等の淡水、または海水等を原水とし、第一濾過として吸水口外周にネット一層以上、もしくはポリプロピレン濾過材一層以上、または組合せたストレーナーを複数積層された濾過層を設けた災害用緊急移動式逆浸透膜浄水装置。
【請求項２】
吸水口が、原水面下の水中に安定保持できるように、発泡体、浮輪もしくはプラスチックフロート等の浮力により上下位置を固定し原水底部の地形に影響なく、また水面の上下変化に対しても常時吸水口が適正な位置に保持可能な請求項１記載の災害用緊急移動式逆浸透膜浄水装置。
【請求項３】
活性炭フィルター、セデメントフィルター、ＵＦ膜フィルター一種または数種、逆浸透膜フィルター、活性炭フィルターを各一つまたは複数を並列、または直列に濾過部として必要供給飲料水量により複数設け原水を濾過し飲料水を製造する逆浸透膜浄水部と、原水汲み上げ吸水ポンプにより吸水、及び加圧により構成され、動力として送電線による電源、内燃機関、太陽電池、交流電源、または発電機による直流電源の何れも起動可能で、一体化され汎用性を有し原水から不純物を限りなく除去し安全かつ容易に水質基準適合飲料水を製造できることを特徴とする請求項１、請求項２記載の災害用緊急移動式逆浸透膜浄水装置。
【請求項４】
災害用緊急移動式浄水装置使用後そのまま放置すれば、機器内の残留水分により腐敗、及び細菌、バクテリア、ウイルス等の繁殖の可能性が高いため、次回の使用時にフィルターの機能を充分に発揮することができないため、フィルター、及び各連結ホース等のメンテナンスとして、本装置により生産された浄水による逆流、圧搾空気、または併用して噴霧による洗浄、及びフィルターの乾燥機能を備えた請求項１、請求項２、請求項３記載の災害用緊急移動式逆浸透膜浄水装置。
【請求項５】
災害用浄水装置の各濾過ユニットの前後に濁度計を備え、フィルターの機能をチェックが可能で、加圧ポンプの圧力調整、さらにフィルターの洗浄時期、またはフィルター交換時期が確認できる機能を備えた請求項１、請求項２、請求項３、請求項４記載の災害用緊急移動式逆浸透膜浄水装置。
【請求項６】
災害用浄水装置に必要な電源は、ＡＣ２００Ｖ，ＡＣ１００Ｖ、ＤＣ２４Ｖ、ＤＣ１２Ｖの切換えが可能で、発電機、または車からの電源が使用出来、さらには人力により脚、または手動による吸水ポンプ、加圧ポンプを可動できる請求項１、請求項２、請求項３、請求項４、請求項５記載の災害用緊急移動式逆浸透膜浄水装置。
【請求項７】
原水取入槽と濾過材とに１．５メートルから２．０メートルの水位高低差による水圧により可動させる請求項１、請求項２、請求項３、請求項４、請求項５、請求項６記載の災害用緊急移動式逆浸透膜浄水装置。
【考案の詳細な説明】
【技術分野】
【０００１】  本考案は、災害用緊急移動式逆浸透膜浄水装置に関するものである。
【背景技術】
【０００２】  従来、災害用浄水装置においては、０．０１ミクロン以上の濾過材の使用、または薬品による殺菌、中和、結晶化機能等が国内では一般的であるが、アメリカや欧州、東南アジアでは浄水器として、水質基準適合の最も安全な飲料水を作りだすには逆浸透膜を使用したものが一般的であり、軍用、医療用、飲料用、飲料水メーカー等に使用されている。
【考案の開示】
【考案が解決しようとする課題】
【０００３】  大規模災害（火災、風水害、雪害、地震、噴火等）における水道設備の分断緊急時において河川水、湖沼水、地下水、貯水槽、防火水槽、プールまたは海水等の原水を、食品衛生法に基づく水質基準に適合した安全な飲料水を高効率であり持続し、小型で機動性に優れ、操作性も容易で、維持管理費も高価で自治体においても、軍用においても購入困難であるため充分な対応がされていない問題点があった。【０００４】  また、河川水、湖沼水、地下水、、貯水槽、防火水槽、プールまたは海水等を使用する場合、通常の逆浸透膜浄水器では、水道水等では問題はないが、災害用浄水装置として河川水、湖沼水、地下水、、貯水槽、防火水槽、プールまたは海水等を原水とすれば、濾過能力が短時間で低下し、フィルターの増加、フィルター交換の作業時間が増加し、濾過能力を十分に発揮できないという問題点があった。【０００５】  さらに、災害用浄水器に必要な動力電源として内燃機関、ＡＣ１００Ｖ、ＤＣ２４Ｖ、ＤＣ１２Ｖ、交流電力、発電機、太陽電池または車からの直流電源のみでは設置場所、また使用期間等において安心して利用できない問題点があった。【０００６】  そして、災害用浄水器の原水吸水口の投入時において、河川水、湖沼水、地下水等の底部の状態により吸水口がヘドロや砂に埋り込む可能性があり、また、吸水現場の水深、水流等により吸水口の位置が定まらない上下、水平面的に最適な設置場所が定まらない問題点があった。
【課題を解決しようとする課題】
【０００７】  上記目的を達成するために、災害用浄水装置の使用後放置すれば、機器内の残留水分により腐敗、及び細菌、バクテリア、ウイルス等の繁殖する可能性があり、次回使用時にフィルターの機能を充分に発揮することができないため、フィルター、及び各連結ホース等のメンテナンス機構として、本機種により生産された浄水による逆流、圧搾空気または併用して噴霧による洗浄、及びフィルターの乾燥機能を備えることを最も主要な特徴とする。
【０００８】  また、吸水口が、原水底部の地質、地形、水位等に影響されず原水水質として良好な上下水位中に安定保持するため、浮力を備えた発泡体、浮輪もしくはプラスチックフロート等と吸水口を取り付けることが効果的である。
【０００９】  また、災害用浄水器の本体機構としては、活性炭フィルター、セデメントフィルター、ＵＦ膜フィルター１種または数種、逆浸透膜フィルター、活性炭フィルターを各一つまたは複数を並列、または直列に濾過部として複数設け原水を加圧濾過し飲料水を製造する逆浸透膜とで構成されされたものが効果的である。
【００１０】  また、各駆動部は内燃機関、太陽電池、交流電源、または直流電源の何れもトランス、整流器を備え対応し、さらに人力による駆動可能で小型、軽量で車輪、ソリ、フローと等の移動可能なユニットであることが好ましい。
【００１１】  本考案の災害用浄水装置においては、第一濾過として吸水口外周にネット一層以上、もしくはポリプロピレン等の濾過材一層以上組合せたストレーナーを複数積層された濾過層を取付けたものである。
【００１２】  災害用浄水装置の各濾過ユニットの前後に濁度計を備えることが、フィルターの機能をチェックが可能で、加圧ポンプの圧力調整、さらにフィルターの洗浄時期、またはフィルター交換時期が確認できる機能を備え高能率と維持管理費の節約できるので好ましい。
【００１３】  災害用浄水装置の設置場所として、電源の供給は原則として他に頼らなくても電源を災害用緊急移動式逆浸透膜浄水装置として発電機、または積載車のバッテリー、およびダイナモによる発電、または自転車のペダル形式で、脚、または腕による人力による発電が可能、さらに原水取入槽と濾過材間に高低差による水圧を得られるものが好ましい。
【００１４】  そして、吸水口のストレーナーが、水面より数センチ水面下の水中に安定保持できるように、浮力を備えた発泡体、もしくはプラスチックフロート等に固定し原水底部の地形にも影響なく、水面の変化に対しても常時ストレーナーの適正水中位置保持可能できるもの、また水流により設定水平位置が移動されることがあるので浮力体に錨を備えたものがさらに好ましい。
【００１５】  また、各駆動部に使用される電源は内燃機関、太陽電池、交流電源、または直流電源の何れも起動可能であることが望ましいので、ユニット内にトランス、整流器を備えたものが好ましい。
【考案の効果】
【００１６】  以上説明したように、本考案による災害用緊急移動式逆浸透膜浄水装置によれば、河川水、湖沼水、地下水、貯水槽、防火水槽、プール等の淡水、または海水等の原水を逆浸透膜により、０．０００２から０．０００５ミクロンの微細孔を使用するため金属イオン、農薬、ウイルス等を表１のように確実に食品衛生法に基づく水質基準に適合処理が可能である。
【００１７】  本体可動エネルギーとして内燃機関、太陽電池、交流電気、発電機、太陽電池等の電気のみならづ人力、原水補給の上下的位置の差による水圧を確保できるため如何なる環境においても可動が可能である。
【００１８】  原水の吸水口前の処理として、比較的濾過能力の低い数種のフィルターの働きにより河川水、湖沼水、地下水、貯水槽、防火水槽、プールまたは海水等の不純物を多く含む原水においても逆浸透膜浄水器前に処理させることにより本体の各フィルター機能の持続効果を高めることができる。さらにフィルター交換回数の減少、維持経費、労力等の削減することが可能である。
【００１９】  本体の各濾過ユニットの前後に濁度計を備えているため、フィルターの機能をチェックが可能で、加圧ポンプの圧力調整、さらにフィルターの洗浄時期、またはフィルター交換時期が容易に確認が可能である。
【００２０】各駆動部は内燃機関、太陽電池、交流電源、または直流電源の何れもトランス、整流器を備え対応し、さらに人力による駆動可能で小型、軽量で車輪、ソリ、フローと等のあらゆる場所においても移動可能である。
【００２１】  以下の性能試験は、上記実施の形態に係る災害用緊急移動式逆浸透膜浄水装置について、財団法人東京顕微鏡院にて食品衛生法に基づく水質基準適否２６項目の検査の試験データである。
【表１】
0003122175.tif 000003
結果は表１のようになった
【考案を実施するための最良の形態】
【００２２】  考案の実施の形態を実施例にもとづき図面を参照して説明する。
図１においては、吸水口１、および外周ストレーナー２５をフロート２９に透明プラスチックに２９，３４を固定する。固定された吸水口に原水流入ホース３０を接合し、汲み上げポンプ１３を介在し、ポンプ圧を利用して逆浸透膜浄水器７，８，９，１０に通水させる。また、浄水された飲料水を貯蔵するためのタンク１９を備え、貯蔵タンクの下部に飲料水給水蛇口１２を取り付け、ポンプの電源供給として発電機２１を取り付けた災害用緊急移動式逆浸透膜浄水装置全体の構造を示すものである。【００２３】  図２に示すように、吸水口２５の外周には底部からの原水の進入を防ぐため塞がれた籠で側面のみ大きな不純物を取り除くためのネットにより外周を筒状、または蛇腹を持たせた筒状で覆われ、その内側には化学繊維による綿状の濾過材を外周ネット内側に貼り付け、中央吸水口に向かい順次濾過能力を細孔に配置されている。【００２４】  また、吸水口のストレーナー水面より数センチ水面下の水中に安定保持できるように、浮力を備えた発泡体、もしくはプラスチックフロートの浮輪状、または３個以上のボール等に結合し原水底部の地形にも影響なく、水面の変化に対しても常時ストレーナーの適正水中位置の保持が可能な構造を示すものである。さらに浮力体に錨を装着することにより水流による漂流することなく保持が可能できる役割を果たしている。【００２５】  濾過部としては、活性炭フィルター、セデメントフィルター、ＵＦ膜フィルター１種または数種、逆浸透膜フィルター、活性炭フィルターを各一つまたは複数を並列、または直列に濾過部として複数設け原水を濾過し飲料水を製造する浄水部と、原水の汲み上げ吸水ポンプ、逆浸透膜への加圧ポンプを駆動する駆動部とで構成され、各駆動部は内燃機関、太陽電池、交流電源、または直流電源の何れも起動でき、ユニット化され汎用性を有し原水から不純物を限りなく除去し安全な飲料水を製造できる役割を果たしている。【００２６】  メンテナンス機構としては、本体の装置使用後の処理機能として、フィルター及び各連結ホース等のメンテナンス機構として、各フィルターの内部から外部に本体により生産された浄水を逆方向に数分間逆流しフィルター表面の不純物による目詰まりを除去し、その後圧搾空気を逆方向に送風によりフィルターおよびパイプ等の各部内部を洗浄、乾燥させる機能を示すものである。さらに浄水洗浄と乾燥の中間機能として浄水と圧搾空気の混合体を噴霧することも可能である。【００２７】  また、各フィルターユニットの前後に濁度計を備え、常時フィルターの機能状態のチェックが可能で、フィルターの洗浄時期、またはフィルター交換時期が確認できることも可能である。【００２８】  さらに原水の吸水ポンプの吸水量、およびフィルター加圧水調整のためのバルブを備えることによりフィルターの能力を最大限に活用し高効率で長時間使用できる役割を果たしている。【００２９】  吸水ポンプの電源は、内燃機関、太陽電池、ＡＣ１００Ｖ、ＤＣ２４Ｖ、ＤＣ１２Ｖ、太陽電池等の電源切換えを可能とするため、トランス、および整流器を備え変換が可能で操作性向上といかなる状況下においても適応できる。【００３０】  １４は、吸水ポンプの回転軸がポンプ本体の外部に左右に突出し��いるためハンドルを付けることにより手動、足踏み作用においても本体を可動させることができる。さらに左右のハンドルの中央上部にサドルを設けることにより、自転車のように脚による可動もおおいに役立つ。【００３１】  ２２は、逆浸透膜浄水器の上部１．５メートルから２．０メートルに原水取入槽を設け高低差による水圧による可動もおおいに役立つ。
【実施例】
【００３２】    図１は、本考案の１実施例にもとづき図面を参照して説明する。
図１においては、吸水口１、および外周ストレーナー２５をフロート２９に透明プラスチックに２９，３４を固定する。固定された吸水口に原水流入ホース３０を接合し、汲み上げポンプ１３を介在し、ポンプ圧を利用して逆浸透膜浄水器７，８，９，１０に通水させる。また、浄水された飲料水を貯蔵するためのタンク１９を備え、貯蔵タンクの下部に飲料水給水蛇口１２を取り付け、ポンプの電源供給として発電機２１を取り付けた災害用緊急移動式逆浸透膜浄水装置全体の構造を示す。【００３３】  図２に示すように、吸水口２５の外周には底部からの原水の進入を防ぐため塞がれた籠で側面のみ大きな不純物を取り除くためのネットにより外周を筒状、または蛇腹を持たせた筒状で覆われ、その内側には化学繊維による綿状の濾過材を外周ネット内側に貼り付け、中央吸水口に向かい順次濾過能力を細孔に配置された吸水口構造を示す。【００３４】  また、吸水口のストレーナー水面より数センチ水面下の水中に安定保持できるように、浮力を備えた発泡体、もしくはプラスチックフロートの浮輪状、または３個以上のボール等に結合し原水底部の地形にも影響なく、水面の変化に対しても常時ストレーナーの適正水中位置の保持が可能な構造を示すものである。さらに浮力体に錨を装着することにより水流による漂流することなく保持が可能できる役割を果たす効果がある。【００３５】  濾過部としては、活性炭フィルター、セデメントフィルター、ＵＦ膜フィルター１種または数種、逆浸透膜フィルター、活性炭フィルターを各一つまたは複数を並列、または直列に濾過部として複数設け原水を濾過し飲料水を製造する浄水部と、原水の汲み上げ吸水ポンプ、逆浸透膜への加圧ポンプを駆動する駆動部とで構成され、各駆動部は内燃機関、太陽電池、交流電源、または直流電源の何れも起動でき、ユニット化され汎用性を有し原水から不純物を限りなく除去し安全な飲料水製造の役割を果たす効果がある。【００３６】  メンテナンス機構としては、本体の装置使用後の処理機能として、フィルター及び各連結ホース等のメンテナンス機構として、各フィルターの内部から外部に本体により生産された浄水を逆方向に数分間逆流しフィルター表面の不純物による目詰まりを除去し、その後圧搾空気を逆方向に送風によりフィルターおよびパイプ等の各部内部を洗浄、乾燥させる機能を示すものである。さらに浄水洗浄と乾燥の中間機能として浄水と圧搾空気の混合体を噴霧することも可能でメンテナンス機構がおおいに役立つ。【００３７】  また、各フィルターユニットの前後に濁度計を備え、常時フィルターの機能状態のチェックが可能で、フィルターの洗浄時期、またはフィルター交換時期が確認できることも可能で操作性向上と高能力維持に適応される。【００３８】  さらに原水の吸水ポンプの吸水量、およびフィルター加圧水調整のためのバルブを備えることによりフィルターの能力を最大限に活用し高効率で長時間使用できる役割を果たしている。【００３９】  吸水ポンプの動力は、電源は、ＡＣ１００Ｖ、ＤＣ２４Ｖ、ＤＣ１２Ｖ、太陽電池等の電源切換えを可能とするため、トランス、および整流器を備え変換が可能である。【００４０】  １４は、吸水ポンプの回転軸がポンプ本体の外部に左右��突出しているためハンドルを付けることにより手動、足踏み作用においても本体を可動させることができる。さらに左右のハンドルの中央上部にサドルを設けることにより、自転車のように脚による可動も可能である。【００４１】  ２２は、逆浸透膜浄水器の上部１．５メートルから２．０メートルに原水取入槽を設け高低差による水圧による可動も可能である。
【図面の簡単な説明】
【図１】  災害用緊急移動式逆浸透膜浄水装置の実施方法を示した実施例の説明図である。
【図２】  原水投入部の実施方法を示した実施例の説明図である。
【符号の説明】
【００４２】１．    ストレーナー
２．    吸水口
３．    ストレーナー、吸い込み口浮
４．    ストレーナー固定フック
５．    原水吸い込み口固定フック
６．    原水流入ホース
７．    前処理セディメントフィルターハウジング
８．    前処理カーボンフィルターハウジング
９．    逆浸透膜フィルターフィルターハウジング
１０．  後処理カーボンフィルターハウジング
１１．  ハウジング連結ホース
１２．  飲料給水蛇口
１３．  電気ポンプ・内燃気ポンプ
１４．  足踏みポンプ
１５．  濁度検地器
１６．  濁度計
１７．  加圧計
１８．  濁・加圧計基盤
１９．  飲料水タンク
２０．  廃棄水ホース
２１．  内燃気発電機
２２．  高低差加圧用タンク
２３．  高低差用連結ホース
２４．  電源コード
２５．  ストレーナー本体
２６．  ストレーナーフレーム
２７．  第１濾過網
２８．  第２濾過綿
２９．  フロート
３０．  吸水ホース
３１．  ストレーナー、吸水ホース連結継ぎ手
３２．  錨用ロープ
３３．  フロート固定用錨
３４．  フロート、フレーム接合部
３５．  洗浄水逆流ホース
３６．  洗浄水、乾燥空気パイプ
３７．  洗浄水、乾燥空気分配器
３８．  コンプレッサー、及び空気乾燥機
【図１】
0003122175.tif 000004
【図２】
0003122175.tif 000005